(57)【要約】  【課題】  ごくシンプルで安価な装置構成でありながら、現場での災害発生時には、現場管理責任者へ災害情報を早急かつ確実に通報することのできる災害発生時における緊急通報システムを提供する。  【解決手段】    危険を伴う作業箇所に張り巡らすワイヤー１と、このワイヤー１の引っ張り操作を検出するリミットスイッチ２と、このリミットスイッチ２がワイヤー１の引っ張り操作を検出すると作動する通報装置５とを備え、かつこの通報装置５には現場管理責任者の携帯電話８ａ、８ｂ、８ｃ、…８ｎの連絡先電話番号を予め登録しておく。そして、災害発生時に現場作業者がワイヤー１の引っ張り操作を行えば、直ちに通報装置５から前記連絡先電話番号へ災害情報を自動的に通報する。【選択図】  図３
2007122107.tif 000002
【特許請求の範囲】
【請求項１】
危険を伴う作業箇所に張り巡らす索条体と、該索条体の引っ張り操作を検出する検出スイッチと、該検出スイッチが索条体の引っ張り操作を検出すると作動する通報装置とを備え、かつ該通報装置には現場管理責任者の連絡先電話番号を予め登録しておき、現場作業者による索条体の引っ張り操作により通報装置から前記連絡先電話番号へ災害情報を自動的に通報するようにしたことを特徴とする災害発生時における緊急通報システム。
【請求項２】
前記検出スイッチを複数として所定間隔にて備え、索条体の引っ張り操作により近傍の検出スイッチが引っ張り操作を検出するようにし、通報装置から前記連絡先電話番号へ通報する災害情報には少なくとも引っ張り操作を検出した検出スイッチの位置情報が含まれるようにしたことを特徴とする請求項１記載の災害発生時における緊急通報システム。
【請求項３】
前記作業箇所を映し出す所定数のカメラを備え付け、通報装置から前記連絡先電話番号へ通報する災害情報には少なくとも前記カメラによる画像情報が含まれるようにしたことを特徴とする請求項１または２記載の災害発生時における緊急通報システム。
【発明の詳細な説明】
【技術分野】
【０００１】
本発明は、工事現場や作業機械などの危険を伴う作業箇所における災害発生時に、現場管理責任者へ災害情報を迅速かつ確実に通報する緊急通報システムに関する。
【背景技術】
【０００２】
工事現場や作業機械などの危険を伴う作業箇所周辺に、事故や火災などの様々な災害の発生に備えて保安員を配置する場合がある。そして、いざ災害が発生すれば、前記保安員は直ちに初期対応を行って災害の拡大を極力抑える一方、警察や救急への通報を行うと共に、工事現場や作業機械などの現場管理責任者に対しても災害情報を通報する。そして、この通報を受けた現場管理責任者は受け取った災害情報に基づいてより最適な対応を迅速に行うのである。
【０００３】
しかし、災害時という緊急を要する場合においては、保安員は初期対応に追われがちで冷静な行動をとることが難しく、その結果、工事現場や作業機械などの現場管理責任者に対する通報が滞ったり、或いは災害情報の内容が正確に伝わらないといったことも考えられる。
【０００４】
一方、特許文献１には、工事現場に各種センサーを備え、これらセンサーが異常を検知するとセンサー制御用のコントロール装置が自動通報装置を作動させ、この自動通報装置から現場管理責任者の携帯電話などに異常の発生を自動的に通報する安全管理システムが開示されている。そして、この安全管理システムであれば、現場管理責任者が現場不在の時に災害が発生したとしても、自動的にかつ遅滞なく通報が行われ、現場管理責任者はそれに応じて直ちに適切な対応を講じることができる。
【特許文献１】特開平７−３３６４５９号公報
【発明の開示】
【発明が解決しようとする課題】
【０００５】
このように、上記安全管理システムでは、現場常駐の保安員を不要とするだけでなく、有事の際には現場管理責任者による確実で素早い対応が期待できるのであるが、その一方で工事現場や作業機械周辺に多数のセンサーを設置したり、これらセンサーを制御するコントロール装置などを設置する必要が生じ、結果的に装置構成が複雑なものとなってコストアップは避けられず、現場によっては容易に採用し難い場合もあると考えられる。
【０００６】
本発明は上記の点に鑑み、ごくシンプルで安価な装置構成でありながら、現場での災害発生時には、現場管理責任者へ災害情報を早急かつ確実に通報することのできる災害発生時における緊急通報システムを提供することを課題とする。
【課題を解決するための手段】
【０００７】
上記課題を解決するために、本発明に係る請求項１記載の災害発生時における緊急通報システムは、危険を伴う作業箇所に張り巡らす索条体と、該索条体の引っ張り操作を検出する検出スイッチと、該検出スイッチが索条体の引っ張り操作を検出すると作動する通報装置とを備え、かつ該通報装置には現場管理責任者の連絡先電話番号を予め登録しておき、現場作業者による索条体の引っ張り操作により通報装置から前記連絡先電話番号へ災害情報を自動的に通報するようにしたことを特徴としている。
【０００８】
また、請求項２記載の災害発生時における緊急通報システムは、前記検出スイッチを複数として所定間隔にて備え、索条体の引っ張り操作により近傍の検出スイッチが引っ張り操作を検出するようにし、通報装置から前記連絡先電話番号へ通報する災害情報には少なくとも引っ張り操作を検出した検出スイッチの位置情報が含まれるようにしたことを特徴としている。
【０００９】
また、請求項３記載の災害発生時における緊急通報システムは、前記作業箇所を映し出す所定数のカメラを備え付け、通報装置から前記連絡先電話番号へ通報する災害情報には少なくとも前記カメラによる画像情報が含まれるようにしたことを特徴としている。
【発明の効果】
【００１０】
本発明に係る請求項１記載の災害発生時における緊急通報システムによれば、危険を伴う作業箇所に張り巡らす索条体と、該索条体の引っ張り操作を検出する検出スイッチと、該検出スイッチが索条体の引っ張り操作を検出すると作動する通報装置とを備え、かつ該通報装置には現場管理責任者の連絡先電話番号を予め登録しておき、現場作業者による索条体の引っ張り操作により通報装置から前記連絡先電話番号へ災害情報を自動的に通報するようにしたので、ごくシンプルで極めて安価な装置構成でありながら、災害発生時という緊急を要する場合においても、現場作業者は現場周囲に予め張り巡らしてある索条体を単に引っ張るだけという極めて簡単な操作を行うだけで現場管理責任者に災害情報を早急かつ確実に通報することができる。
【００１１】
また、本発明に係る請求項２記載の災害発生時における緊急通報システムによれば、前記検出スイッチを複数として所定間隔にて備え、索条体の引っ張り操作により近傍の検出スイッチが引っ張り操作を検出するようにし、通報装置から前記連絡先電話番号へ通報する災害情報には少なくとも引っ張り操作を検出した検出スイッチの位置情報が含まれるようにしたので、広範な作業箇所において災害が発生した場合でも災害発生現場の位置を素早くかつ正確に特定でき、現場管理責任者は迅速で適切な処理対応を行うことができる。
【００１２】
また、本発明に係る請求項３記載の災害発生時における緊急通報システムによれば、前記作業箇所を映し出す所定数のカメラを備え付け、通報装置から前記連絡先電話番号へ通報する災害情報には少なくとも前記カメラによる画像情報が含まれるようにしたので、現場管理責任者は災害発生現場におけるリアルタイムの災害情報を視覚により正確に把握することができ、より一層適切な処理対応を行うことができる。
【発明を実施するための最良の形態】
【００１３】
本発明の災害発生時における緊急通報システムにあっては、例えば、道路工事や建設工事などの工事現場や、コンベヤなどの作業機械といった危険を伴う広範な作業箇所の周囲に沿って複数のリミットスイッチを適宜間隔置きに配置すると共に、各リミットスイッチ間にはそれぞれ索条体であるワイヤーを張設している。前記各ワイヤーの両端部はそれぞれ隣接するリミットスイッチの検出レバーに結着しており、現場作業員が前記ワイヤーの引っ張り操作を行えばそれに伴って前記検出レバーが作動し、それによってリミットスイッチではワイヤーの引っ張り操作が行われたことを検出できるようにしている。また、これらリミットスイッチの近傍には、リミットスイッチが現場作業員によるワイヤーの引っ張り操作を検出したことを契機に作動する通報装置を配設しており、該通報装置には前記工事現場や作業機械などの現場管理責任者が常駐する管理事務所の固定電話や、或いは前記現場管理責任者が所有する携帯電話などの連絡先電話番号を予め登録している。また、前記工事現場や作業機械の作業状況を映し出すカメラを備え付けており、このカメラにて撮影したリアルタイムの画像情報は前記通報装置へ随時送られている。
【００１４】
そして、もし前記工事現場や作業機械などの作業箇所において事故や火災などといった重大な災害が発生した場合には、先ず現場作業員は人命救助や初期消火などの初期対応を行う一方で、その災害発生現場に近い位置のワイヤーを手で掴んで引っ張り操作を行う。そして、ワイヤーが引っ張られるとそれに伴ってリミットスイッチの検出レバーが作動し、それによってリミットスイッチではワイヤーの引っ張り操作が行われたことを検出し、この検出を契機に通報装置ではその検出がなされたリミットスイッチの位置情報、及び近傍のカメラから映し出される災害現場のリアルタイムの画像情報などを含んだ災害情報を現場管理責任者の連絡先電話番号へ直ちにかつ自動的に通報する。一方、この通報を受けた現場管理責任者側では、受け取った災害情報から災害発生現場の正確な位置や、その災害状況などを的確に把握し、これらの各種情報に基づいて最適な処理対応を迅速に行う。
【００１５】
このように、危険を伴う作業箇所の周囲に張り巡らしたワイヤーと、該ワイヤーの引っ張り操作を検出するリミットスイッチ、及び該リミットスイッチがワイヤーの引っ張り操作を検出したのを契機に現場管理責任者へ通報する通報装置などを主体とするごくシンプルで安価な装置構成でありながら、工事現場や作業機械などの災害発生時という冷静な判断を下しにくい中で迅速な対応を迫られる状況下にあっても、現場作業者は最低限、直近に張られたワイヤーの引っ張り操作さえ行えばよく、そうすることによって現場管理責任者に対して災害発生現場の正確な位置情報や、災害状況を映し出したリアルタイムの画像情報などを含んだ詳細な災害情報を直ちにかつ確実に通報することができ、現場管理責任者は遅滞なく最適な処理対応を講じることができる。
【実施例】
【００１６】
以下、本発明の一実施例を図面に基づいて説明する。
【００１７】
図１は、危険を伴う作業箇所である、例えば道路工事現場を示す図であって、図中のＡは道路面、Ｂはその工事中の区域を示している。そして、この工事区域Ｂの周囲には索条体である複数のワイヤー１を張り巡らしていると共に、各ワイヤー１の両端部をワイヤー１が引っ張られたことを検出する検出スイッチであるリミットスイッチ２に連結している。
【００１８】
図２は、前記リミットスイッチ２部分を示す図であって、各リミットスイッチ２は工事区域Ｂの周囲に沿って適宜間隔で設置した架台３上にそれぞれ載置しており、各リミットスイッチ２間に張設されるワイヤー１の高さ位置を、現場作業員がとっさの場合でも容易に引っ張り操作し易いように、例えば約８０〜１００ｃｍ程度となるように調整している。
【００１９】
４はリミットスイッチ２に揺動自在に軸着しているプレート形状の検出レバーであって、図２に示すように、この検出レバー４の先端部に前記ワイヤー１端部を結着しており、もしワイヤー１が引っ張られることがあればそれに伴って前記検出レバー４が揺動し、それによってワイヤー１が引っ張られたことを検出できるようにしている。
【００２０】
図３は、本発明に係る災害発生時における緊急通報システムの概略説明図であって、図中の５は災害発生時に現場管理責任者に対して通報を行う通報装置であり、本体６と通報手段である携帯電話７とから成っている。そして、前記通報装置５には、この道路工事現場における現場管理責任者等が所有する携帯電話８ａ、８ｂ、８ｃ、…８ｎなどの連絡先電話番号を予め設定登録していると共に、前記通報装置５は複数のリミットスイッチ２とそれぞれ配線９を介して繋げている。そして、何れかのリミットスイッチ２がワイヤー１の引っ張り操作が行われたことを検出すれば災害が発生したと判断し、すぐさま設定登録してある現場管理責任者の連絡先電話番号へ災害情報を自動的に通報するようにしている。
【００２１】
なお、本実施例においては、現場管理責任者を複数設定して、各現場管理責任者が所有するそれぞれの携帯電話８ａ、８ｂ、８ｃ、…８ｎの電話番号を登録しておき、災害発生時には何れかの現場管理責任者と連絡が取れるまで各携帯電話８ａ、８ｂ、８ｃ、…８ｎに順次通報するようにしており、確実に災害情報の通報が行われるように図っている。また、例えば、現場管理責任者が常駐する管理事務所などがあれば、そこに設置する固定電話の電話番号も併せて登録するようにしてもよい。
【００２２】
また、現場管理責任者に対して通報される災害情報としては、単に通報のみを行って災害の発生を知らせるだけといったものでも良いが、例えばワイヤー１の引っ張り操作を検出したリミットスイッチ２の位置情報が含まれるようにすると、現場管理責任者側では広範な工事現場から災害発生場所を特定することが可能となり、より迅速かつ効率的な処理対応が図れて好適である。
【００２３】
また、１０は工事区域Ｂやその周辺のリアルタイムの様子を映し出すカメラであって、該カメラ１０にて撮影された画像情報は配線１１を介して前記通報装置５へと随時送信されている。そして、通報時において前記災害情報に併せてこの画像情報も送るようにすれば、現場管理責任者側では視覚的に災害の詳細な状況が把握しやすくなり、より一層適切で効果的な処理対応が可能となって好適である。なお、複数のカメラ１０をそれぞれ各リミットスイッチ２近傍に配置しておき、あるリミットスイッチ２がワイヤー１の引っ張り操作を検出すればその近傍に配置したカメラ１０が映し出す画像情報のみを災害情報として送るようにしてもよく、或いは全てのカメラ１０からの画像情報を送るようにしてもよい。
【００２４】
しかして、この道路工事現場において事故や火災などの大きな災害が発生した場合には、災害現場付近にいる現場作業員は、先ず人命救助や初期消火などの初期対応に当たる一方で、極力早くその災害発生現場に近い位置に張られているワイヤー１を手で掴んで引っ張り操作する。ワイヤー１が引っ張られるとそれに応じてリミットスイッチ２の検出レバー４が揺動し、これによってリミットスイッチ２においてワイヤー１の引っ張り操作が行われたことを検出し、この検出を契機に通報装置５より現場管理責任者の所有する携帯電話８ａ、８ｂ、８ｃ、…８ｎへ直ちにかつ自動的に災害情報を通報する。このとき、この災害情報として、災害発生現場を示すワイヤー１の引っ張り操作を検出したリミットスイッチ２の位置情報や、カメラ１０から映し出される災害発生現場のリアルタイムの画像情報などが併せて送信される。そして、この通報を受けた現場管理責任者は、手に入れた災害情報から災害発生現場の正確な位置や、災害状況などを的確に把握し、これら各種情報に基づいて最も効果的で最適な処理対応を遅滞なく行う。
【００２５】
このように、工事現場や作業機械などの危険を伴う作業箇所の周囲に張り巡らしたワイヤーと、該ワイヤーの引っ張り操作を検出するリミットスイッチ、及び該リミットスイッチがワイヤーの引っ張り操作を検出したのを契機に現場管理責任者へ通報する通報装置などを主体とするごくシンプルで極めて安価な装置構成でありながら、災害発生時には現場作業員がワイヤーを引っ張りさえすれば、災害発生現場の正確な位置情報や、災害の様子を映し出したリアルタイムの画像情報などの詳細な災害情報を現場管理責任者へ自動的に通報可能なため、現場管理責任者は遅滞なく最適な処理対応を行うことができる。
【図面の簡単な説明】
【００２６】
【図１】本発明に係る災害発生時における緊急通報システムを採用した道路工事現場を示す図である。
【図２】（ａ）図１のリミットスイッチ部の側面図、（ｂ）同正面図である。
【図３】本発明に係る災害発生時における緊急通報システムの概略説明図である。
【符号の説明】
【００２７】
１…ワイヤー（索条体）    ２…リミットスイッチ（検出スイッチ）
５…通報装置              ７、８ａ、８ｂ、８ｃ、…８ｎ…携帯電話
１０…カメラ
【図１】
2007122107.tif 000003
【図２】
2007122107.tif 000004
【図３】
2007122107.tif 000005